(57)【要約】 【課題】一般家庭のトイレ室などにおいて、杖を離せない高齢者や車椅子使用の身障者であっても充分な余裕を持って安心して使用できる開き扉を提供する。【解決手段】  開き扉の開放側の端縁に沿って開口部が形成されるとともに、前記開口部に遊嵌するようにして設けられ、上下方向に延びる回転軸を中心として回転可能とした把手を有する子扉を具える。使用者は、前記子扉の前記把手を把持し、その状態を保持したまま前記子扉の前記回転軸を中心とした回転運動によって前記開き扉を開き、前記開き扉で隔離された内部空間へ入る。【選択図】図４
2005315074.tif 000002
【特許請求の範囲】
【請求項１】
前後方に開閉して、使用者の入出を可能ならしめる開き扉であって、
前記開き扉の開放側の端縁に沿って開口部が形成されるとともに、前記開口部に遊嵌するようにして設けられ、上下方向に延びる回転軸を中心として回転可能とした把手を有する子扉を具えることを特徴とする、ユニバーサルデザインによる開き扉。
【請求項２】
前記把手は前記子扉の片面にのみ設けられたことを特徴とする、請求項１に記載のユニバーサルデザインによる開き扉。
【請求項３】
前記子扉は、前記回転軸を中心として１８０度回転可能としたことを特徴とする、請求項１又は２に記載のユニバーサルデザインによる開き扉。
【請求項４】
前記開き扉は、手前に向って開放するように構成したことを特徴とする、請求項１〜３のいずれか一に記載のユニバーサルデザインによる開き扉。
【請求項５】
前記子扉の裏面を、前記開き扉の表面と視覚により識別可能としたことを特徴とする、請求項１〜４のいずれか一に記載のユニバーサルデザインによる開き扉。
【請求項６】
前記子扉の前記裏面に対し、前記開き扉の前記表面と異なる模様を付することにより、前記子扉の前記裏面と前記開き扉の前記表面とを識別可能としたことを特徴とする、請求項５に記載のユニバーサルデザインによる開き扉。
【請求項７】
前記子扉の前記裏面に対し、前記開き扉の前記表面と異なる色彩を付することにより、前記子扉の前記裏面と前記開き扉の前記表面とを識別可能としたことを特徴とする、請求項５に記載のユニバーサルデザインによる開き扉。
【請求項８】
前記子扉の前記裏面に対して識別標識を付することにより、前記子扉の前記裏面と前記開き扉の前記表面とを識別可能としたことを特徴とする、請求項５に記載のユニバーサルデザインによる開き扉。
【請求項９】
前記開き扉は、トイレユニット用開き扉であることを特徴とする、請求項１〜８のいずれか一に記載のユニバーサルデザインによる開き扉。
【請求項１０】
請求項１〜８のいずれか一に記載の開き扉を具えることを特徴とする、ユニバーサルデザインによるトイレユニット。
【請求項１１】
前後方に開閉して、使用者の入出を可能ならしめる開き扉の開放側の端縁に沿って開口部を形成し、前記開口部に遊嵌するとともに、上下方向に延びる回転軸を中心として回転可能とした把手を有する子扉を設ける工程と、
前記使用者が、前記子扉の前記把手を把持し、その状態を保持したまま前記子扉の前記回転軸を中心とした回転運動によって前記開き扉を開き、前記開き扉で隔離された内部空間へ入る工程と、
を具えることを特徴とする、ユニバーサルデザインによる開き扉の使用方法。
【請求項１２】
前記把手は前記子扉の片面にのみ設けることを特徴とする、請求項１１に記載のユニバーサルデザインによる開き扉の使用方法。
【請求項１３】
前記使用者が前記開き扉を開く際に、前記子扉を前記回転軸を中心として１８０度回転可能とし、前記使用者の前記子扉における前記把手の把持を保持することを特徴とする、請求項１１又は１２に記載のユニバーサルデザインによる開き扉の使用方法。
【請求項１４】
前記開き扉は、手前に向って開放することを特徴とする、請求項１１〜１３のいずれか一に記載のユニバーサルデザインによる開き扉の使用方法。
【請求項１５】
前記子扉の裏面を、前記開き扉の表面と視覚により識別可能とし、前記使用者が、前記開き扉を開くことによって前記内部空間内に居することを識別する工程を具えることを特徴とする、請求項１１〜１４のいずれか一に記載のユニバーサルデザインによる開き扉の使用方法。
【請求項１６】
前記子扉の前記裏面に対し、前記開き扉の前記表面と異なる模様を付することにより、前記子扉の前記裏面と前記開き扉の前記表面とを識別可能としたことを特徴とする、請求項１５に記載のユニバーサルデザインによる開き扉の使用方法。
【請求項１７】
前記子扉の前記裏面に対し、前記開き扉の前記表面と異なる色彩を付することにより、前記子扉の前記裏面と前記開き扉の前記表面とを識別可能としたことを特徴とする、請求項１５に記載のユニバーサルデザインによる開き扉の使用方法。
【請求項１８】
前記子扉の前記裏面に対して識別標識を付することにより、前記子扉の前記裏面と前記開き扉の前記表面とを識別可能としたことを特徴とする、請求項１５に記載のユニバーサルデザインによる開き扉の使用方法。
【請求項１９】
前記使用者が、前記開き扉を開放して前記内部空間へ入った後、前記子扉の、前記回転運動によって前記開き扉の裏面側に位置し、前記内部空間に露出した前記把手を把持するとともに押圧し、前記内部空間から外方へ退室する工程を具えることを特徴とする、請求項１１〜１８のいずれか一に記載のユニバーサルデザインによる開き扉の使用方法。
【請求項２０】
前記開き扉はトイレユニット用開き扉であり、前記内部空間はトイレ室であることを特徴とする、請求項１１〜１９のいずれか一に記載のユニバーサルデザインによる開き扉の使用方法。
【発明の詳細な説明】
【技術分野】
【０００１】
本発明は、年齢、体格、人種、障害などに拘わらず、全ての人にとって差別なく便利に且つ安全に使用することができる、ユニバーサルデザインによる開き扉、及びその開き扉の使用方法に関する。
【背景技術】
【０００２】
従来、杖を離すことができない高齢者や車椅子使用の障害者に対してバリアフリー住宅などが提案されて現実に実施されているが、それらは健常者基準の住宅において段差をなくしたり手摺りをつけたりするものが殆どであり全ての人々を満足させるものではなかった。
【０００３】
特に、日常の生活に必須で最も快適さを必要とするトイレは図９に示すように便器１を例えばトイレ室２の奥側の壁面３１を背にして側方の壁面３２、３３に平行になるように配置するのが一般的であり、規格の住宅用のトイレ室は限られた空間を有することから車椅子を持ち込む余裕がなく、車椅子が使用可能な広い空間を有する介護用トイレを設けるにはきわめて大掛かりな工事が必要であった。
【０００４】
また、トイレ室において、高齢者や身障者にとって開き扉の開閉操作は負担であり、殊に、従来の開き扉は開閉時に把手を持ち替える必要があり、この持ち替え動作が身体の保持が容易でない高齢者などにとっては大きな負担となっているばかりか、従来の開き扉は図１０に示すように使用者が開き扉５を手前に開くときに、開き扉５の動線Ｍ内に身体が入ってしまいスムーズな開閉動作を妨げている。
【０００５】
さらに、従来のトイレ用の開き扉には内側から施解錠可能な鍵を付けるのが一般的であるが、鍵がかかっているために病変などの事故が発生した場合に迅速な対応がとれない。また、従来のトイレ用開き扉に使用されている把手は図９に示すようにその形状が押して開けるのか引いて開けるのかの判断が容易でなくアフォーダンスが満たされていないという問題もある。
【発明の開示】
【発明が解決しようとする課題】
【０００６】
本発明はこのような実情に鑑みてなされたものであり、一般家庭のトイレ室などにおいて、杖を離せない高齢者や車椅子使用の身障者であっても充分な余裕を持って安心して使用できる開き扉を提供するものである。
【課題を解決するための手段】
【０００７】
上記目的を達成すべく、本発明は、
前後方に開閉して、使用者の入出を可能ならしめる開き扉であって、
前記開き扉の開放側の端縁に沿って開口部が形成されるとともに、前記開口部に遊嵌するようにして設けられ、上下方向に延びる回転軸を中心として回転可能とした把手を有する子扉を具えることを特徴とする、ユニバーサルデザインによる開き扉に関する。
【０００８】
本発明の開き扉では、開放側の端縁に沿って形成された開口部に把手を具えるとともに、上下方向に延びる回転軸を中心として回転可能とした、前記開口部と略同形の子扉を、前記開口部に遊嵌させるようにしている。したがって、使用者が、前記開き扉を開く際に、前記子扉の前記把手を把持して、例えば前方に引張るようにすれば、この際の引張り力によって、前記開き扉は前記子扉を介して前方に開くようになる。この際、前記子扉は前記回転軸を中心として回転するので、前記子扉を介した前記開き扉の開放に際して、前記使用者は前記把手を把持したままの状態で行うことができる。
【０００９】
すなわち、本発明の開き扉によれば、その開閉の際に使用者が把手を持ち替える必要がなく、また、開閉動作もスムースに行うことができるようになるので、高齢者や身障者にとっての、前記開き扉の使用負担を軽減することができる。
【００１０】
また、前記子扉を回転させることにより、前記開口部から前記開き扉内部の様子が確認できるので、例えば高齢者や身障者などの使用者が、前記開き扉に対して内部から鍵を掛けている場合においても、前記開き扉の前記内部の様子を室外から点検することができる。したがって、前記使用者の突然の事故などにも迅速に対処することができるようになる。
【００１１】
なお、本発明の一態様においては、前記把手は前記子扉の片面にのみ設ける。また、前記子扉の裏面を、前記開き扉の表面と模様や色彩、さらには識別標識などの視覚により識別可能とする。この場合、前記開き扉を室外から見た場合、前記把手の存在の有無、又は前記子扉の前記裏面の視覚的効果により、前記子扉が前記室外に対して裏面を向いているか、表面を向いているかを認識することができる。すなわち、前記子扉を通常の場合に、前記室外から見て表面が向いているような場合においては、前記子扉の前記把手が消失している、あるいは前記子扉の裏面が露出している場合には、前記開き扉内部に使用者が存在していることが分かる。
【００１２】
したがって、前記開き扉に鍵をかけなくても、第３者は、前記開き扉内部に使用者が存在しているのを認識することができる。また、このような認識に基づいて、緊急時や非常時にも迅速な対応が可能となる。
【発明の効果】
【００１３】
以上説明したように、本発明によれば、一般家庭のトイレ室などにおいて、杖を離せない高齢者や車椅子使用の身障者など、年齢、体格、人種、障害などに拘わらず、全ての人にとって差別なく便利に且つ安全に使用することができる開き扉を提供することができる。
【発明を実施するための最良の形態】
【００１４】
以下、本発明のその他の特徴及び利点について、発明を実施するための最良の形態に基づいて詳述する。なお、前記従来例と同一部分については同一の符号を用いて説明する。
【００１５】
図１〜図８は、本発明の開き扉を一般家庭のトイレ室２について実施した場合の好ましい実施の形態の一例を示すものである。本例では、便器１が平面長方形のトイレ室２の１つの隅部２１においてその幅方向の中心線Ａが各壁面３１，３２，３３，３４に対して傾斜した状態で配置されているとともに、便器１の斜め前方に位置する壁面３２に斜め格子状の手摺り４が配置されている。また、前記壁面３２に対向する壁面３３にはその前方側に開き扉５が配置されている。
【００１６】
そして、前記壁面３２に配置されている斜め格子状の手摺り４は、図３に示すように、たとえば木材、ステンレスなどの金属或いはこれらの組み合わせた素材などの棒或いはパイプ材に形成され、４５度の角度に傾斜した３つの正方形が、互いに隣接する横方向の角部をレージトング様に連結して一体的に形成された例えば高さが４０ｃｍ程度の手摺り本体４１が、それらの両端及び上下に位置する角部においてそれぞれ付設された取付具４２により壁面３２から所定の距離（例えば６ｃｍ程度）を隔てて取り付けられており、特に上端に位置する３つの角部には球状の所定形状を有する例えば直径が５．５ｃｍ程度の掴み部４３が付設されている。
【００１７】
このように手摺り４は左右対称であるため従来のＬ字型のものと異なり取り付け方向を誤る心配がない。尚、本実施の形態では３つの正方形が互いに隣接する形状としたが、正方形の数はこれに限るものではなく壁面の長さなどに応じて変化させてもよい。
【００１８】
また、壁面３２に対向する壁面３３に配置されている開き扉５は、全体の形状は通常トイレ室などに使用されているものとほぼ同様であるが、図４に示すように、開放側の端縁５１に沿って形成された縦長方形状の開口部５２を有しており、縦方向へ延びる棒状の把手６を有する開口部５２と同形状の子扉５３が上下方向に延びる回転軸５４、５４を中心として１８０度にわたって回転可能となるように開口部５２内に配置されている点で異なる。なお、子扉５３の表面並びに裏面が開き扉５の表面と互いに面一な状態を形成できるようになっている。
【００１９】
本例では、子扉５３の表面５５は開き扉５の表面５６と同様な模様や色彩が施され、子扉５３の裏面５７は開き扉５の表面５６と異なる模様や色彩が施されている。したがって、子扉５３が表面５５を向いているのか、裏面５７を向いているのかが視覚により簡単に区別できる。また、子扉５３の表面５５には把手６を設置しているので、上述した模様や色彩の有無に拘わらず、把手６が室外に露出しているか否かでも子扉５３が表面５５を向いているのか、裏面５７を向いているのかが視覚により簡単に識別することができる。
【００２０】
なお、図１および図２中、符号７は壁面３１，３３に配置された縦方向へ延びる短尺棒状の補助手摺りである。
【００２１】
次に、上述した開き扉の使用方法について詳細に説明する。
【００２２】
図５は車椅子８を使用している身障者である使用者９が上述した本発明の開き扉を有するトイレユニットを使用する場合についての使用態様の概略を経時的に示したものである。最初に、身障者である使用者９は、図５（ａ）に示すように開き扉５に近づき把手６を掴み、図５（ｂ）に示すように手前側に引く。次いで、図５（ｃ）に示すように車椅子８がトイレ室２内に入れるだけの開口部が形成されたら、図５（ｄ）に示すように車椅子８ごとトイレ室２内に進行する。
【００２３】
このとき、本例では子扉５３が上下方向に延びる回転軸５４、５４を中心として回転可能に配置されている。そのため、使用者９は最初に図５（ａ）に示した状態で掴んだ把手６をそのまま離すことなしに、つまり、持ち替えることなしに図５（ｄ）および図５（ｅ）に示すようにトイレ室２内に進行し、開き扉５を閉じる状態まで進むことができる。したがって、使用者９の開き扉５の開閉操作に伴う負担を軽減することができる。
【００２４】
また、開き扉５の表面側に露呈する子扉５３の裏面５７には、開き扉５の表面５６と異なる模様や色彩が施されているとともに、把手６が消失しているので、トイレ室２が使用者９によって使用されている（使用中）であることが一目瞭然となる。したがって、別途に鍵を設ける必要がなく、或いは設けたとしても通常は掛けなくてもよく、事故への迅速な対応ができる。
【００２５】
さらに、デザイン的には好ましくないが、子扉５３の裏面５７に予め「使用中」の様な識別標記を施しておいてもよい。この場合、上述した模様や色彩などを施さなくても、子扉５３が裏面を向いていることが明確となり、トイレ室２が使用中であることを明確に把握することができる。
【００２６】
図６は開き扉５の開閉操作を更に詳しく説明したものである。図６（ａ）に示すように、把手６を掴み、図６（ｂ）に示すように把手６を掴んだまま身体を開口部に向く位置に動かす。このとき、図６（ｃ）に示すように把手６を掴むことにより子扉５３が回転するので、図６（ｄ）に示したようにトイレ室２に入って開き扉５を閉じるまで把手６を掴んだままの状態を無理なく保つことができる。
【００２７】
トイレ室２内に進入した身障者である使用者９は図５（ｃ）に示すように、トイレ室２内に入るが、このとき、便器１が平面長方形のトイレ室２の１つの隅部２１においてその幅方向の中心線Ａが各壁面３１，３２，３３，３４に対して傾斜した状態で配置されている。したがって、トイレ室２の空間を有効に生かし、一般家庭用のトイレ室の寸法においても車椅子８の使用を可能にすることができるとともに、最も使い勝手のよい便器の斜め前方に位置する壁面３３に手摺り４を設けることができる。
【００２８】
次いで、使用者９は図５（ｅ）〜（ｇ）に示すように、手摺り４を掴んで車椅子８から便器１へと乗り移ることになるが、実験的に乗り移り易い車椅子８の中心線と便器１の中心線とのなす角度は９０度以下であり、図７に示すように本実施の形態では、ほぼ６５度程度となり、有効な角度であるといえる。
【００２９】
特に、車椅子８から便器１へと乗り移る時に使用する手摺り４は、斜め格子状であり、単に横方向へ延びる直線的なものと異なり掴む位置に幅があるので、子供から高齢者まで幅広い体格に適応可能である。さらに、屈んだり立ち上がったりする際の様々な体位に対しても対応可能であるばかりか、図８（ａ）および（ｂ）に直線的な比較例とともに示したように、手首が楽に上下するので、力を入れやすい。また、図８（ｃ）に示すように、手摺り４が身体の全面に位置するので掴み易いとともに身体の回転がし易く便器への着座が楽に行える。
【００３０】
また、本実施の形態では手摺り４の３つの頂角には球状の掴み部４３が付設されているので掴まり歩きをする際にも掴み易い。
【００３１】
そして、用を足した後は、図５（ｇ）から図５（ａ）へと逆の動作により退室することになるが、図６（ｄ）に示すように、出るときには入るときと反対の動きになり、把手６を掴んだまま押し開ければよい。
【００３２】
以上、本発明を具体例を挙げながら詳細に説明してきたが、本発明は上記内容に限定されるものではなく、本発明の範疇を逸脱しない限りにおいてあらゆる変形や変更が可能である。
【００３３】
例えば、上記具体例においては、本発明の開き扉を家庭規格のトイレ室２に付いて実施した場合を示したが、ユニバーサルデザインを念頭においていることから、駅や高齢者介護施設、或いは各種のパブリックスペースなど不特定多数の人々が使用する場所に設置可能であることはいうまでもない。本発明の開き扉は、上述したトイレユニットなどの他に、各種施設や住宅などにおいても好適に使用することができる。
【図面の簡単な説明】
【００３４】
【図１】本発明の開き扉を具えたトイレ室の一例を示す平面図である。
【図２】図１に示したトイレ室の側面図である。
【図３】図１に示したトイレ室の手摺りを示すもので、（ａ）は正面図、（ｂ）は平面図、（ｃ）は側面図である。
【図４】図１に示したトイレ室における開き扉の正面図であり、（ａ）は子扉の表面が露出している状態、（ｂ）は子扉が１８０度回転して裏面が露出している状態、（ｃ）は子扉が９０度回転した状態を示している。
【図５】図１に示したトイレ室における前記開き扉の使用態様を経時的に示す説明図である。
【図６】同じく、図１に示したトイレ室における前記開き扉の使用態様を経時的に示す説明図である。
【図７】図１に示したトイレ室の使用状態を示す平面図である。
【図８】図３に示した手摺りの使用状態を従来例と比較して示した説明図である。
【図９】従来のトイレ室の一例を示す平面図である。
【図１０】図９に示すトイレ室における開き扉の使用態様を説明するための図である。
【符号の説明】
【００３５】
１  便器
２  トイレ室
４  手摺り
５  開き扉
６  把手
３１，３２，３３，３４  壁面
５３  子扉
５４  回転軸
【図１】
2005315074.tif 000003
【図２】
2005315074.tif 000004
【図３】
2005315074.tif 000005
【図４】
2005315074.tif 000006
【図５】
2005315074.tif 000007
【図６】
2005315074.tif 000008
【図７】
2005315074.tif 000009
【図８】
2005315074.tif 000010
【図９】
2005315074.tif 000011
【図１０】
2005315074.tif 000012